(57)【要約】      （修正有）【課題】電源延長線装置の提供。【解決手段】壁付けコンセントを延伸しその差し込み口を増すのに使用され、コンセントより遠く離れた電化製品に使用され、電源プラグ１０、電線主体２０、及び延長コンセント本体３０で組成される。その特徴は、延長コンセント本体の背面に係止孔があり、ホルダ３６の両側の係止部３６ａとの係合固定に供され、該ホルダはフック３６ｂと正面の磁石３６ｃを具えているほか、磁石の両側にネジ円孔３６ｄが設けられ、延長コンセント本体の任意の方式で固定可能とされ、且つ延長コンセント本体のカバー内に防塵用のゴム片３５が設けられたことにある。【選択図】図２
0003104063.tif 000002
【実用新案登録請求の範囲】
【請求項１】
壁付けコンセントを延伸すると共に差し込み口数が増され、コンセントより遠く離れた電化製品に使用され、電源プラグ、電線主体、及び延長コンセント本体で組成された電源延長線装置において、延長コンセント本体の下カバーの背面にホルダが設けられ、該ホルダの背面両側に突出する係止部があり、その上方にフックがあり、正面に円形磁石が設けられ、該係止部により該ホルダが延長コンセント本体の背面の係止孔内に係合することを特徴とする、電源延長線装置。
【請求項２】
請求項１記載の電源延長線装置において、ホルダにあって磁石両側位置にネジ円孔が開設されたことを特徴とする、電源延長線装置。
【請求項３】
請求項１記載の電源延長線装置において、延長コンセント本体のソケットカバー内にゴム片が設けられ、側面視によると該ゴム片がＴ形を呈し、且つその正面の中央部に方形孔があり、両側最外縁がゴム薄片とされ、底面に凸塊を具えて延長コンセント本体の下カバーの方形溝内に挿入され、正面の方形孔にソケットカバー下方の凸塊が挿入されることを特徴とする、電源延長線装置。
【考案の詳細な説明】
【技術分野】
【０００１】
本考案は、壁付けコンセントに差し込まれてコンセントを延伸すると共に、その差し込み口数を増して、壁付けコンセントより遠く離れた電化製品に使用され、電源プラグ、電線主体、及び延長コンセント本体で組成された電源延長線装置に関する。
【背景技術】
【０００２】
一般に電源延長線装置は壁付けコンセントを延長し並びにその差し込み口数を増すのに使用され、壁付けコンセントより遠く離れた電化製品を使用するのに便利である。それは電源プラグ、電線主体、及び延長コンセント本体で組成され、電源主体は引き伸ばされた後に延長コンセント本体を固定し、これにより電線主体、延長コンセント本体及び電化製品の電源コードが絡み合って外観が悪くなるほか、電源延長線装置の寿命が短くなるのを防止する。
【０００３】
図１に示されるように、周知の電源延長線装置ａの延長コンセント本体ｂの背面には円孔ｃが開設され、事前に適当な位置にねじ込まれたネジｄに、該円孔ｃで延長コンセント本体ｂが係止可能とされるか、或いは直接延長コンセント本体ｂが床に置かれる。このため、外観が悪くなり、且つ床に放置すると周囲の環境の影響を受けやすくなり、例えば水や灰塵が電源延長線装置の寿命を短縮し、電線の出火を形成することさえある。以上のように、周知の電源延長線装置には欠点があり、改良が求められている。
【考案の開示】
【考案が解決しようとする課題】
【０００４】
本考案は周知の技術の欠点を改善した電源延長線装置を提供するものである。
【０００５】
即ち本考案の主要な目的は、多種類の方式で固定できる延長コンセント本体を具えた電源延長線装置を提供することにある。
【０００６】
本考案の次の目的は、防塵機能を具えた延長コンセント本体を具えた電源延長線装置を提供することにある。
【課題を解決するための手段】
【０００７】
請求項１の考案は、壁付けコンセントを延伸すると共に差し込み口数が増され、コンセントより遠く離れた電化製品に使用され、電源プラグ、電線主体、及び延長コンセント本体で組成された電源延長線装置において、延長コンセント本体の下カバーの背面にホルダが設けられ、該ホルダの背面両側に突出する係止部があり、その上方にフックがあり、正面に円形磁石が設けられ、該係止部により該ホルダが延長コンセント本体の背面の係止孔内に係合することを特徴とする、電源延長線装置としている。
請求項２の考案は、請求項１記載の電源延長線装置において、ホルダにあって磁石両側位置にネジ円孔が開設されたことを特徴とする、電源延長線装置としている。
請求項３の考案は、請求項１記載の電源延長線装置において、延長コンセント本体のソケットカバー内にゴム片が設けられ、側面視によると該ゴム片がＴ形を呈し、且つその正面の中央部に方形孔があり、両側最外縁がゴム薄片とされ、底面に凸塊を具えて延長コンセント本体の下カバーの方形溝内に挿入され、正面の方形孔にソケットカバー下方の凸塊が挿入されることを特徴とする、電源延長線装置としている。
【考案の効果】
【０００８】
本考案は周知の技術の欠点を改善した電源延長線装置を提供し、それは、多種類の方式で固定できると共に防塵機能を具えた延長コンセント本体を具え、取り付け及び使用上、非常に便利である。
【考案を実施するための最良の形態】
【０００９】
本考案の電源延長線装置は、延長コンセント本体の背面に係止孔が設けられて、該係止孔が、外接されるホルダの両側の対応する係止部と相互に係合固定可能とされ、該ホルダの上方にフックがあり、且つ正面に円形磁石が設けられ、並びに磁石の両側にネジ円孔が開設されている。該延長コンセント本体内にゴム片が設けられ、該ゴム片が側面から見てＴ字形を呈し、且つ正面の中央に方形孔を具え、両側の最外縁が薄く設けられ、底面に凸塊が設けられている。
【００１０】
以上の構造により、ホルダが延長コンセント本体と相互に係合固定され、これにより、ホルダが直接壁に取り付けられるか、或いはそのフックを利用して延長コンセント本体を任意の位置に吊掛でき、さらに背面に取り付けられた円形磁石により金属表面に吸着させることができ、使用上、非常に便利である。延長コンセント本体のソケットカバー底部の凸塊は位置合わせ後にゴム片の方形孔に挿入され、ゴム片の底面の凸塊が延長コンセント本体の下カバーの方形溝内に挿入され、ゴム片の両側の最外縁の薄い部分がソケットカバーの差し込み口に対応し、プラグが挿入されると該ゴム片が押し開かれ、前端の金属ブレードが延長コンセント本体内部の金属導体と接触して導通し、プラグが抜き取られると、ゴム片が再度差し込み口を塞ぎ、密閉の形態を形成し、これにより防塵の効果を達成する。
【実施例１】
【００１１】
図２、３に示されるように、本考案の電源延長線装置は、電源プラグ１０、電線主体２０及び延長コンセント本体３０で組成されている。
【００１２】
そのうち、電源プラグ１０は電線主体２０の一端に取り付けられ、その前端の金属ブレード１１が電源プラグ１０前端の回転装置１２に取り付けられて１８０度回転可能とされている。
【００１３】
該延長コンセント本体３０は、電線主体２０の電源プラグ１０と反対の端部に取り付けられ、上カバー３１、下カバー３２、ソケットカバー３３、金属導電片３４、ゴム片３５及びホルダ３６で組成されている。該下カバー３２の正面の適当な位置に複数対の金属導電片３４が設けられ、該金属導電片３４と電線主体２０が接続され、並びに対をなす金属導電片３４中央にゴム片３５が取り付けられている。図４、５に示されるように、該ゴム片３５は側面視によるとＴ字形を呈し、且つ正面の中央部分に方形孔３５ａを具え、両側最外縁がゴム薄片３５ｂとされ、底面に下カバー３２の方形溝３２ａに挿入される凸塊３５ｃを具えている。続いて、ソケットカバー３３が上カバー３１の適当な位置に取り付けられ、並びにソケットカバー３３下方の凸塊３３ａがゴム片３５上方の方形孔３５ａ内に挿入される。また、下カバー３２の背面に係止孔３２ｂが設けられ、図６に示されるように、ホルダ３６両側に突出する係止部３６ａと相互に係合可能とされる。該ホルダ３６の上方にフック３６ｂがあり、且つ正面に円形磁石３６ｃが取り付けられ、並びに磁石３６ｃの両側にネジ円孔３６ｄが開設されている。
【００１４】
図７には本考案のホルダ３６をフック３６ｂにより吊掛る実施例が示されている。この図に示されるように、本考案の延長コンセント本体はホルダ３６上方のフック３６ｂを利用し、あらかじめ壁に打ちつけられた釘或いは任意のフレーム上に、吊掛ることができる。図８は本考案のホルダ３６を磁石３６ｃで貼り付ける実施例が示され、この図に示されるように、本考案の延長コンセント本体はホルダ３６の正面の円形磁石３６ｃを利用し、金属表面に貼り付けることができる。図９は本考案のホルダ３６をネジ２で固定する実施例を示し、この図に示されるように、本考案の延長コンセント本体は、ネジ円孔３６ｄを利用してホルダ３６をネジ２であらかじめ適当な位置に固定し、ホルダ３６背面の突出する係止部３６ａにより、延長コンセント本体３０を保持することができる。このように本考案は使用上、十分に便利である。
【００１５】
図１０、１１はプラグ３をソケットカバー３３に挿入した後の表示図であり、プラグ３の挿入後にゴム薄片３５ｂは押し開かれ、前端の金属ブレード３ａが内部の金属導電片３４と接触、導通し、プラグ３を抜き取った後、ゴム薄片３５ｂは再度差し込み口３３ｂを塞ぎ、密閉の状態を形成し、これにより防塵の効果を達成する。
【図面の簡単な説明】
【００１６】
【図１】周知の技術の立体構造図である。
【図２】本考案の立体分解図である。
【図３】本考案の立体組合せ図である。
【図４】本考案のゴム片の立体構造を示す背面図である。
【図５】本考案のゴム片の立体構造を示す正面図である。
【図６】本考案のホルダの立体構造図である。
【図７】本考案のホルダの吊掛の実施図である。
【図８】本考案のホルダの磁石による吸着の実施図である。
【図９】本考案のホルダのネジによる固定の実施図である。
【図１０】プラグが本考案のソケットカバーに挿入される時のゴム片の動作表示図である。
【図１１】プラグが本考案のソケットカバーに挿入される時のゴム片の動作表示図である。
【符号の説明】
【００１７】
１０  電源プラグ                ２０  電線主体
３０  延長コンセント本体        １１、３ａ  金属ブレード
１２  回転装置                  ３１  上カバー
３２  下カバー                  ３３  ソケットカバー
３４  金属導電片                ３５  ゴム片
３６  ホルダ                    ３２ａ  方形溝
３２ｂ  係止孔                  ３３ａ、３５ｃ  凸塊
３３ｂ  差し込み口              ３５ａ  方形孔
３５ｂ  ゴム薄片                ３６ａ  係止部
３６ｂ  フック                  ３６ｃ  磁石
３６ｄ  ネジ円孔                ２  ネジ
３  プラグ
【図１】
0003104063.tif 000003
【図２】
0003104063.tif 000004
【図３】
0003104063.tif 000005
【図４】
0003104063.tif 000006
【図５】
0003104063.tif 000007
【図６】
0003104063.tif 000008
【図７】
0003104063.tif 000009
【図８】
0003104063.tif 000010
【図９】
0003104063.tif 000011
【図１０】
0003104063.tif 000012
【図１１】
0003104063.tif 000013